(57)【特許請求の範囲】
【請求項１】
送信信号の出力レベルを検出し、その出力レベルに相当する値を検波電圧値として出力するレベル検出部（１２）と、前記レベル検出部から出力された検波電圧値と基準電圧とを比較し、その差電圧を出力する比較部（１３）と、前記比較部から出力された差電圧を受け、その差電圧に相当する電圧値で信号の出力レベルを調整するレベル調整部（８）とを有するＡＬＣ回路（１９）と、
前記比較部の差電圧をデジタル値のデータに変換して出力するＡ／Ｄ変換部（１４）と、
前記Ａ／Ｄ変換部からのデータを送信出力周波数毎に保持し、送信出力周波数に対応して保持しているデータを出力する制御部（１５）と、
前記制御部から出力されたデジタル値のデータをアナログ電圧値として出力するＤ／Ａ変換部（１７）と、
前記比較部の差電圧または前記Ｄ／Ａ変換部からのアナログ電圧値が選択的に前記レベル調整部に設定されるように前記ＡＬＣ回路のループをＯＮ／ＯＦＦする切替部（１８）と、
前記ＡＬＣ回路からの送信信号をアンテナ（５）から出力するとともに、外部からの信号を前記アンテナを介して受けるように信号の分岐および合成を行なう結合器（２）と、
前記アンテナから前記結合器を介して信号を受けるルートと、前記結合器を介さずに前記送信信号を通過させる短絡ルートとを選択的に切り替える短絡ルート切替部（６）と、
前記アンテナから前記結合器を介して入力される外部からの信号または前記短絡ルートを介して入力される前記送信信号のレベルを測定するレベル測定部（２２）とを備え、
前記短絡ルート切替部が前記短絡ルートに選択的に切り替えられているときに、前記レベル調整部に無変調信号を入力し、送信出力周波数を最低周波数から最高周波数まで所定周波数ステップで切り替えながら前記レベル測定部で各周波数毎にレベルを測定し、この測定結果に基づいて受信レベルを校正することを特徴とする校正機能付き測定器。
【請求項２】
前記レベル調整部（８）に無変調信号を入力し、前記ＡＬＣ回路（１９）のループがＯＮしているときに、送信出力周波数を最低周波数から最大周波数まで所定周波数ステップで切り替えながら各周波数での前記比較部（１３）の差電圧のデジタル値のデータとして記憶し、前記ＡＬＣ回路のループをＯＦＦしたときに、前記記憶されたデータのうち送信出力周波数に対応するデータに相当する電圧値を前記レベル調整部に設定して送信出力レベルを校正することを特徴とする請求項１記載の校正機能付き測定器。
【請求項３】
前記レベル調整部（８）に無変調信号を入力し、前記ＡＬＣ回路（１９）のループがＯＮしているときに、送信出力周波数を複数ポイントの指定周波数に設定したときの各周波数での前記比較部（１３）の差電圧のデジタル値のデータとして記憶し、前記指定周波数のデータに基づいて他の周波数のデータを直線補間し、前記ＡＬＣ回路のループをＯＦＦしたときに、前記データのうち送信出力周波数に対応するデータに相当する電圧値を前記レベル調整部に設定して送信出力レベルを校正することを特徴とする請求項１記載の校正機能付き測定器。
【請求項４】
請求項１記載の校正機能付き測定器を用いた校正方法であって、
前記短絡ルートに設定するステップと、
前記レベル調整部（８）に無変調信号を入力するステップと、
送信出力周波数を最低周波数から最大周波数まで所定周波数ステップで切り替えながら各周波数でのレベルを前記レベル測定部（２２）で測定するステップとを含むことを特徴とする校正機能付き測定器を用いた校正方法。
【請求項５】
前記レベル調整部（８）に無変調信号を入力するステップと、
前記ＡＬＣ回路（１９）のループをＯＮにし、この状態で送信出力周波数を最低周波数から最大周波数まで所定周波数ステップで切り替え、各周波数毎の前記比較部（１３）の差電圧のデジタル値のデータとして記憶するステップと、
前記ＡＬＣ回路のループをＯＦＦにし、前記記憶されたデータのうち送信出力周波数に対応するデータに相当する電圧値を前記レベル調整部に設定するステップとを含むことを特徴とする請求項４記載の校正機能付き測定器を用いた校正方法。
【請求項６】
前記レベル調整部（８）に無変調信号を入力するステップと、
前記ＡＬＣ回路（１９）のループをＯＮにし、この状態で送信出力周波数を複数ポイントの指定周波数に設定し、各指定周波数の前記比較部（１３）の差電圧のデジタル値のデータとして記憶するステップと、
前記指定周波数のデータに基づいて他の周波数のデータを直線補間するステップと、
前記ＡＬＣ回路のループをＯＦＦにし、前記データのうち送信出力周波数に対応するデータに相当する電圧値を前記レベル調整部に設定するステップとを含むことを特徴とする請求項４記載の校正機能付き測定器を用いた校正方法。
【発明の詳細な説明】
【０００１】
【発明の属する技術分野】
本発明は、例えば移動端末機の出力パワー、周波数、変調精度、隣接チャンネル漏洩、変調帯域幅、受信感度等を測定する測定器に適用されるものであり、送信出力レベルや受信レベルの校正を行なう校正機能付き測定器およびそれを用いた校正方法に関する。
【０００２】
【従来の技術】
例えば移動端末機の出力パワー、周波数、変調精度、隣接チャンネル漏洩、変調帯域幅、受信感度等を測定する測定器では、より正確な測定を行なうため、送信出力レベルや受信レベルの校正が必要に応じて適宜行なわれるようになっている。
【０００３】
図４は送信出力レベルおよび受信レベルの校正を行なう場合の従来の測定器の概略構成を示している。
【０００４】
図４に示す測定器５１は、ベースバンド信号を出力する直交変調器５２を有している。直交変調器５２の出力には、電圧レベルを調整するための減衰器（ＡＴＴ）５３が接続されている。この減衰器５３の出力は、送信側ミキサ５４の一方の入力に接続される。また、送信側ミキサ５４の他方の入力には送信側発振器５５が接続される。送信側ミキサ５４の出力は増幅器５６を介して第一結合器５７に接続される。増幅器５６の出力にはレベル検出器５８が接続されており、レベル検出器５８の出力は比較器５９の一方の入力が接続される。比較器５９の他方の入力には基準電圧が入力している。比較器５９は、基準電圧とレベル検出器５８の検出信号（電圧値）を比較し、その差信号を出力している。
【０００５】
比較器５９の出力にはＡ／Ｄ変換器６０が接続される。Ａ／Ｄ変換器６０にはＣＰＵ６１が接続され、ＣＰＵ６１にはメモリ６２およびＤ／Ａ変換器６３が接続される。減衰器５３と比較器５９との間には、比較器５９と減衰器５３との間、又はＤ／Ａ変換器６３と減衰器５３との間を選択的に接点を切り替えて導通接続するための切替器６４が接続されている。
【０００６】
ここで、切替部６４の接点が比較器５９側に切り替えている状態において、減衰器５３、送信側ミキサ５４、増幅器５６、レベル検出器５８、比較器５９によりＡＬＣ(Automatic Level Contorol)回路を形成している。そして、レベル検出器５８によって送信信号の出力レベルを検出し、この検出した電圧を比較器５９で基準電圧と比較し、その差信号に相当する電圧値を減衰器５３の減衰量として設定して所定の出力レベルに調整している。通常、変調信号を出力している状態では、ＡＬＣはＯＦＦとなっている。これは、変調信号は出力レベルが常に激しく変動しており、また周波数が数ＧＨｚとなる周波数においては、変調信号の実効値検波を行うことが困難であるため、ＡＬＣ回路で安定した出力レベルを得ることが困難なためである。
【０００７】
また、受信側の構成として、第一結合器５７には受信側ミキサ６５が接続される。受信側ミキサ６５には受信側発振器６６が接続される。受信側ミキサ６５の出力にはレベル測定器６７が接続される。また、第一結合器５７には第二結合器６８が接続され、第二結合器６８にはパワーセンサ６９が接続されるとともに、アンテナ７０が接続される。
【０００８】
次に、上述した構成の測定器５１において、送信出力レベルの校正と受信レベルの校正を行なう場合の動作について図５および図６のフローチャートを参照しながら説明する。
【０００９】
送信出力レベルの校正を行なう場合には、図５に示すように、直交変調器５２から無変調信号（ＣＷ）を出力する。直交変調器５２から無変調信号を発生させるには、直交変調器５２への入力信号であるＩ，Ｑ信号それぞれを一定のＤＣ電圧に固定すればよい。あるいはＩ，Ｑ間の位相差が＋９０あるいは−９０度となる正弦波を入力しても良い。この場合は正弦波の電圧振幅の実効値が、固定のＤＣ電圧を加える場合の電圧値と同一になるようにすれば、固定の電圧を加える場合と同一の出力レベルで、周波数がＩ，Ｑ入力の正弦波の周波数分だけシフトする（ＳＴ２１）。続いて、切替器６４の接点を比較器５９側に切り替え、ＡＬＣをＯＮにする（ＳＴ２２）。そして、その状態の増幅器５６の電圧をレベル検出器５８で検出し、比較器５９からの差信号をＡ／Ｄ変換器６０でＡ／Ｄ変換し、その値をメモリ６２に記憶する（ＳＴ２３）。次に、切替器６４の接点をＤ／Ａ変換器６３側に切り替え、ＡＬＣをＯＦＦにする（ＳＴ２４）。そして、減衰器５３にＤ／Ａ変換器６３からメモリ６２に記憶した電圧を印加する（ＳＴ２５）。その後、変調信号を出力する（ＳＴ２６）。このとき、直交変調器５２への変調信号Ｉ，Ｑの振幅の実効値を、ＳＴ２１の時の無変調出力の振幅と同一振幅とすれば、送信出力レベルは、ＡＬＣがＯＮの状態と同一の状態を再現することができ、ミキサ５４や増幅器５６の温度変動や経時変化に影響されない、安定した出力レベルを得ることができる。変調信号Ｉ，Ｑは通常Ｄ／Ａコンバータを用いて生成されるため、ミキサ５４や増幅器５６と比べて振幅はきわめて安定である。この動作は、送信出力周波数を変える度に実行される。または、ユーザがマニュアル操作で必要時に実行する。
【００１０】
次に、受信レベルの校正を行なう場合には、図６に示すように、まず使用周波数帯域全ての周波数の信号を外部の信号発生器から発生させてアンテナ７０より入力し、各周波数毎のレベル測定を行う。そして、各周波数毎のレベルを、基準信号（例えば０ｄＢｍの信号）を入力したときのレベルとの差により補正してパワーセンサ６９の校正を行なう（ＳＴ３１）。次に、測定器５１が動作する程度のレベルの信号をアンテナ７０から入力する（ＳＴ３２）。続いて、外部から入力された信号のレベルをパワーセンサ６９で測定する（ＳＴ３３）。同様に、外部から入力された信号のレベルをレベル測定器６７で測定する（ＳＴ３４）。そして、レベル測定器６７で測定した値とパワーセンサ６９で測定した値との差を補正値として使用する（ＳＴ３５）。
【００１１】
【発明が解決しようとする課題】
しかしながら、上述した従来の測定器５１では、送信出力レベルの校正を行なう場合、送信出力周波数を変える度に実行するか、ユーザがマニュアル操作で実行しなければならないため、手間がかかるという問題があった。また、送信出力レベルの校正は、通常、送信出力周波数を変える度に行なう必要があるが、これを怠った場合、送信信号の出力が保証されないので、十分な測定確度が得られないという問題を招く。
【００１２】
また、図４に示す従来の構成では、受信レベルの校正を行なう場合、外部に信号発生器を必要とするとともに、結合損失のある結合器５７，６８を２つ必要とし、更に受信レベルの校正を行なう際の基準器となる装置内蔵のパワーセンサ６９が必要不可欠なので、構成自体が複雑になるだけでなく、測定誤差の要因も増すという問題がある。しかも、応答速度が遅く、ダイナミックレンジの狭いパワーセンサ自身の校正が必要なので、校正手順が面倒なだけでなく、校正を含めた測定全体の測定時間を要するという問題があった。
【００１３】
そこで、本発明は、上記問題点に鑑みてなされたものであり、保証された送信信号を出力して測定確度の向上が図れ、測定時間の短縮が図れる校正機能付き測定器およびそれを用いた校正方法を提供することを目的としている。
【００１４】
【課題を解決するための手段】
上記目的を達成するため、本発明に係る校正機能付き測定器は、送信信号の出力レベルを検出し、その出力レベルに相当する値を検波電圧値として出力するレベル検出部１２と、前記レベル検出部から出力された検波電圧値と基準電圧とを比較し、その差電圧を出力する比較部１３と、前記比較部から出力された差電圧を受け、その差電圧に相当する電圧値で信号の出力レベルを調整するレベル調整部８とを有するＡＬＣ回路１９と、
前記比較部の差電圧をデジタル値のデータに変換して出力するＡ／Ｄ変換部１４と、
前記Ａ／Ｄ変換部からのデータを送信出力周波数毎に保持し、送信出力周波数に対応して保持しているデータを出力する制御部１５と、
前記制御部から出力されたデジタル値のデータをアナログ電圧値として出力するＤ／Ａ変換部１７と、
前記比較部の差電圧または前記Ｄ／Ａ変換部からのアナログ電圧値が選択的に前記レベル調整部に設定されるように前記ＡＬＣ回路のループをＯＮ／ＯＦＦする切替部１８と、
前記ＡＬＣ回路からの送信信号をアンテナ５から出力するとともに、外部からの信号を前記アンテナを介して受けるように信号の分岐および合成を行なう結合器２と、
前記アンテナから前記結合器を介して信号を受けるルートと、前記結合器を介さずに前記送信信号を通過させる短絡ルートとを選択的に切り替える短絡ルート切替部６と、
前記アンテナから前記結合器を介して入力される外部からの信号または前記短絡ルートを介して入力される前記送信信号のレベルを測定するレベル測定部２２とを備え、
前記短絡ルート切替部が前記短絡ルートに選択的に切り替えられているときに、前記レベル調整部に無変調信号を入力し、送信出力周波数を最低周波数から最高周波数まで所定周波数ステップで切り替えながら前記レベル測定部で各周波数毎にレベルを測定し、この測定結果に基づいて受信レベルを校正することを特徴とする。
【００１５】
また、別の発明に係る校正機能付き測定器は、請求項１の校正機能付き測定器において、
前記レベル調整部８に無変調信号を入力し、前記ＡＬＣ回路１９のループがＯＮしているときに、送信出力周波数を最低周波数から最大周波数まで所定周波数ステップで切り替えながら各周波数での前記比較部１３の差電圧のデジタル値のデータとして記憶し、前記ＡＬＣ回路のループをＯＦＦしたときに、前記記憶されたデータのうち送信出力周波数に対応するデータに相当する電圧値を前記レベル調整部に設定して送信出力レベルを校正することを特徴とする。
【００１６】
また、別の発明に係る校正機能付き測定器は、請求項１の校正機能付き測定器において、
前記レベル調整部８に無変調信号を入力し、前記ＡＬＣ回路１９のループがＯＮしているときに、送信出力周波数を複数ポイントの指定周波数に設定したときの各周波数での前記比較部１３の差電圧のデジタル値のデータとして記憶し、前記指定周波数のデータに基づいて他の周波数のデータを直線補間し、前記ＡＬＣ回路のループをＯＦＦしたときに、前記データのうち送信出力周波数に対応するデータに相当する電圧値を前記レベル調整部に設定して送信出力レベルを校正することを特徴とする。
【００１７】
また、別の発明に係る校正機能付き測定器を用いた校正方法は、請求項１記載の校正機能付き測定器を用いた校正方法であって、
前記短絡ルートに設定するステップと、
前記レベル調整部８に無変調信号を入力するステップと、
送信出力周波数を最低周波数から最大周波数まで所定周波数ステップで切り替えながら各周波数でのレベルを前記レベル測定部２２で測定するステップとを含むことを特徴とする。
【００１８】
また、別の発明に係る校正機能付き測定器を用いた校正方法は、請求項４の校正方法において、
前記レベル調整部８に無変調信号を入力するステップと、
前記ＡＬＣ回路１９のループをＯＮにし、この状態で送信出力周波数を最低周波数から最大周波数まで所定周波数ステップで切り替え、各周波数毎の前記比較部１３の差電圧のデジタル値のデータとして記憶するステップと、
前記ＡＬＣ回路のループをＯＦＦにし、前記記憶されたデータのうち送信出力周波数に対応するデータに相当する電圧値を前記レベル調整部に設定するステップとを含むことを特徴とする。
【００１９】
また、別の発明に係る校正機能付き測定器を用いた校正方法は、請求項４の校正方法において、
前記レベル調整部８に無変調信号を入力するステップと、
前記ＡＬＣ回路１９のループをＯＮにし、この状態で送信出力周波数を複数ポイントの指定周波数に設定し、各指定周波数の前記比較部１３の差電圧のデジタル値のデータとして記憶するステップと、
前記指定周波数のデータに基づいて他の周波数のデータを直線補間するステップと、
前記ＡＬＣ回路のループをＯＦＦにし、前記データのうち送信出力周波数に対応するデータに相当する電圧値を前記レベル調整部に設定するステップとを含むことを特徴とする。
【００２０】
【発明の実施の形態】
図１は本発明による校正機能付き測定器の内部構成の概略を示す図、図２は同校正機能付き測定器による出力レベルの校正時のフローチャート、図３は同校正機能付き測定器による出力レベルを含む受信レベルの校正時のフローチャートである。
【００２１】
本例の校正機能付き測定器は、例えば移動端末機の出力パワー、周波数、変調精度、隣接チャンネル漏洩、変調帯域幅、受信感度等を測定する測定器に適用されるものであり、送信出力レベルの校正および受信レベルの校正を行なうものである。
【００２２】
図１に示すように、本例の校正機能付き測定器１は、信号の分岐および合成を行なう結合器としてのデバイダ２を有している。デバイダ２には、送信部３、受信部４およびアンテナ５が接続されている。送信部３と受信部４との間には、送信部３からの信号をデバイダ２を経由せずに直接受信部４に通過させるための短絡ルート切替部６がデバイダ２に対して並列接続されている。
【００２３】
送信部３は、直交変調器７、レベル調整部８、送信側発振器９、送信側ミキサ１０、増幅器１１、レベル検出部１２、比較部１３、Ａ／Ｄ変換部１４、制御部（ＣＰＵ）１５、記憶部１６、Ｄ／Ａ変換部１７、切替部１８を備えて構成される。
【００２４】
直交変調器７の変調信号出力は、レベル調整部８に入力される。この直交変調器７は、後述する出力レベルや受信レベルの校正時に、無変調の信号（ＣＷ）を出力している。
【００２５】
レベル調整部８は、電圧制御型可変減衰器で構成され、Ｄ／Ａ変換部１７からの電圧値に相当する減衰量、又は比較部１３の差信号（差電圧）に相当する減衰量が設定される。このレベル調整部８では、直交変調器７からのベースバンド信号の電圧レベルを設定減衰量により調整している。このレベル調整されたベースバンド信号は送信側ミキサ１０に入力される。
【００２６】
送信側発振器９は、送信出力周波数に応じて最適な周波数に可変される局部発振器で構成され、送信出力周波数に応じた所定周波数の発振信号を送信側ミキサ１０に入力している。
【００２７】
送信側ミキサ１０は、レベル調整部８でレベル調整されたベースバンド信号と、送信側発振器９からの発振信号とを混合して増幅器１１に入力している。
【００２８】
増幅器１１は、送信側ミキサ１０で混合された信号を所定の増幅度で増幅してデバイダ２に入力している。このデバイダ２に入力された信号は、アンテナ５から送信信号として測定対象物である移動端末機（ＤＵＴ）に送出される。
【００２９】
レベル検出部１２は、増幅器１１が出力する信号を検出し、その検出した出力レベルに相当する値を検波電圧値として比較部１３の一方の入力端子に入力している。
【００３０】
比較部１３は、一方の入力端子にレベル検出部１２からの検出信号（検波電圧値）が入力され、他方の入力端子に基準電圧が入力される。比較部１３は、両入力端子に入力される信号の差をとり、この差信号（差電圧）をＡ／Ｄ変換部１４又はレベル調整部８に入力している。
【００３１】
ここで、基準電圧は、送信出力周波数に応じた適正な電圧に設定される。この基準電圧は、送信出力周波数に変化があると、この送信出力周波数の変化に応じて制御部１５により適宜可変制御されるようになっている。
【００３２】
なお、レベル調整部８、送信側発振器９、送信側ミキサ１０、増幅器１１、レベル検出部１２、比較部１３により、比較部１３の差信号（差電圧）が零になるようにベースバンド信号を送信出力周波数に対応したレベルに自動調整するＡＬＣ(Automatic Level Contorol)回路１９を構成している。
【００３３】
Ａ／Ｄ変換部１４は、比較部１３からの差信号（差電圧）をデジタル値に変換して制御部１５に入力している。
【００３４】
制御部（ＣＰＵ）１５は、測定時および後述する校正時に送信部３、受信部４および短絡ルート切替部６の各部を統轄制御している。また、制御部１５は、後述する送信出力レベルの校正時（受信レベルの校正時に送信出力レベルの校正を行なう場合も含む）に、Ａ／Ｄ変換部１４によって変換されたデジタル値のデータを記憶部１６に記憶保持している。この記憶部１６へのデータ（デジタル値）の記憶は、送信出力周波数毎に行なわれる。また、制御部１５は、送信出力周波数に対応して記憶部１６に記憶保持されている値をＤ／Ａ変換部１７に出力している。
【００３５】
Ｄ／Ａ変換部１７は、制御部１５から出力されるデジタル値をアナログ電圧値に変換している。この変換されたアナログ電圧値は、切替部１８がＤ／Ａ変換部１７とレベル調整部８との間を接続するように切り替えられているときに、レベル調整部８に設定減衰量として設定される。
【００３６】
切替部１８は、比較部１３の出力をレベル調整部８に接続するか、Ｄ／Ａ変換部１７の出力をレベル調整部８に接続するかを制御部１５の制御により選択的に切り替えている。
【００３７】
なお、本例では、切替部１８の接点１８ａが比較部１３の出力側に切り替えられている状態、すなわち、ＡＬＣ回路１９によるＡＬＣループを形成している状態をＯＮとしている。これに対し、切替部１８の接点１８ａがＤ／Ａ変換部１７の出力側に切り替えられている状態をＯＦＦとしている。
【００３８】
受信部４は、受信側発振器２０、受信側ミキサ２１、レベル測定部２２を備えて構成される。
【００３９】
受信側発振器２０は、送信側発振器９と同様の周波数可変の局部発振器で構成される。この受信側発振器２０は、送信側発振器９と同一周波数の発振信号を受信側ミキサ２１に入力している。
【００４０】
受信側ミキサ２１は、アンテナ５を介してデバイダ２から入力される信号又は短絡ルート切替部６を介して送信部３から入力される信号と、受信側発振器２０からの発振信号とを混合してレベル測定部２２に入力している。
【００４１】
レベル測定部２２は、受信側ミキサ２１で混合された信号のレベルを測定し、この測定したレベルを測定値としている。
【００４２】
短絡ルート切替部６は、線路６Ａの両端に切替部６Ｂ，６Ｃが設けられたもので、切替部６Ｂが増幅器１１とデバイダ２との間に配置され、切替部６Ｃがデバイダ２と受信側ミキサ２０との間に配置される。この短絡ルート切替部６は、通常、切替部６Ｂの接点６Ｂａおよび切替部６Ｃの接点６Ｃａが何れもデバイダ２側に切り替えられている。これに対し、後述する受信レベルの校正を行なうときに、制御部１５により両切替部６Ｂ，６Ｃの接点６Ｂａ，６Ｃａが線路６Ａ側に切替制御される。
【００４３】
次に、上記のように構成される校正機能付き測定器１の動作について説明する。ここでは、送信出力レベルの校正と、受信レベルの校正とに分けて図２および図３を参照しながら説明する。
【００４４】
送信出力レベルの校正を行なう場合には、図２に示すように、まず直交変調器７から無変調信号（ＣＷ）を出力する。前述の通り、無変調信号は直交変調器７への入力信号であるＩ，Ｑ信号それぞれを一定のＤＣ電圧に固定するか、あるいはＩ，Ｑ間の位相差が＋９０あるいは−９０度となる正弦波を入力することで得られる（ＳＴ１）。続いて、切替部１８の接点１８ａを比較部１３側に切り替え、ＡＬＣをＯＮにする（ＳＴ２）。この状態で、送信出力周波数を最低周波数から最高周波数まで所定周波数ステップで順次切り替える。そして、順次切り替えられる各周波数での増幅器１１の出力電圧をレベル検出部１２で検出する（ＳＴ４）。続いて、レベル検出部１２の検出信号と基準電圧との差信号をＡ／Ｄ変換部１４でＡ／Ｄ変換し、この各周波数毎のデジタル値を記憶部１６に記憶する（ＳＴ５）。なお、送信出力周波数を変化させた際には、その周波数に応じて基準電圧および送信側発振器９の周波数も可変される。そして、実際に使用する送信出力周波数が設定されると、切替部１８の接点１８ａをＤ／Ａ変換部１７側に切り替え、ＡＬＣをＯＦＦする（ＳＴ６）。そして、送信出力周波数に対応するデジタル値を記憶部１６から読み出し、このデジタル値をＤ／Ａ変換部１７でＤ／Ａ変換し、これによって得られる電圧値をレベル調整部８に設定する（ＳＴ７）。その後、無変調出力時と同一の実効値となるＩ，Ｑ信号を直交変調器７に入力し、変調信号を出力する（ＳＴ８）。
【００４５】
なお、上述した校正動作は、最低出力周波数から最高出力周波数まで所定周波数ステップで校正を行なう全周波数校正モードの例である。具体的に、この全周波数校正モードでは、最低出力周波数３０ＭＨｚから最高出力周波数２．７ＧＨｚまで１０ＭＨｚステップで校正が行なわれる。
【００４６】
また、本例では、上記全周波数校正モードの他に周波数指定校正モードが用意されている。この周波数指定校正モードは、ユーザーによって任意に指定可能な複数ポイントの出力周波数、例えば上、中、下の３ポイントの周波数で校正を行ない、これら３ポイントの周波数の間の校正については直線補間によって行なうモードである。例えばＷ−ＣＤＭＡの場合には、上（２．２ＧＨｚ）、中（２．０５ＧＨｚ）、下（１．９ＧＨｚ）の３ポイントの周波数で校正を行い、これらの出力周波数の他の周波数の区間については直線補間される。なお、この周波数指定校正モードで指定される周波数は、上記上、中、下の３つに限らず複数指定でき、最低１つであってもよい。
【００４７】
次に、受信レベルの校正を行なう場合には、ＡＬＣがＯＮ状態のときの直交変調器７の出力信号を校正用信号として使用する。なお、本例では、受信レベルの校正とともに前述した送信出力レベルの校正が行なわれる。図３に示すように、まず短絡ルート切替部６の各切替部６Ｂ，６Ｃの接点６Ｂａ，６Ｃａを線路６Ａ側に切り替え、短絡ルートに設定する（ＳＴ１１）。そして、直交変調器７の出力を無変調信号にする（ＳＴ１２）。この状態で、送信出力周波数を最低周波数から最大周波数まで所定周波数ステップで切り替える。具体的には、最低出力周波数３０ＭＨｚから最高出力周波数２．２ＧＨｚまで１０ＭＨｚステップで切り替える（ＳＴ１３）。そして、各周波数でのレベルをレベル測定部２２で測定する（ＳＴ１４）。
【００４８】
上記レベル測定部２２による各周波数での測定値は、測定値＝生の測定値−短絡ルートレベル測定値＋（出荷時短絡ルートレベル測定値−真のレベル測定値の式によって制御部１５の制御のもとに演算される。なお、上記式において、生の測定値とは、アンテナ５を介してデバイダ２から入力される信号の測定値である。短絡ルートレベル測定値は、短絡ルート切替部６を短絡ルートに設定したときの測定値である。出荷時短絡ルートレベル測定値および真のレベル測定値は、出荷時校正データとして予め記憶されるものである。そして、出荷時短絡ルートレベル測定値は、短絡ルートにおける各周波数毎の適正なレベル測定値であり、真のレベル測定値は、アンテナ５から特定の信号（例えば０ｄＢの信号）を入力したときの測定値である。
【００４９】
このように、本例の校正機能付き測定器および校正方法によれば、実際に使用される送信出力周波数に関して保証された送信信号を出力することができる。これにより、測定確度の向上を図ることができる。しかも、校正を含めた測定全体の測定時間の短縮を図ることができる。例えば図４の示す従来の測定器５１の構成では、送信出力周波数を変えたときに、校正開始から測定に移行するまでに０．５ｓｅｃの時間を要するのに対し、本例の周波数指定校正モードによれば、０．２ｓｅｃ程度で校正が行なえ、より測定時間の短縮を図ることができる。
【００５０】
また、図４に示す従来の測定器５１では、パワーセンサ６９が内蔵された構成であるが、本例ではパワーセンサ６９の構成が不要となり、デバイダも一つで済むので、測定器内部の構造を簡易化することができる。
【００５１】
【発明の効果】
以上の説明で明らかなように、本発明によれば、従来の測定器と比較して、装置内部校正の簡易化が図れ、使用周波数に関して保証された送信信号を出力して測定確度の向上を図ることができ、校正を含めた測定全体の測定時間の短縮を図ることができる。
【図面の簡単な説明】
【図１】本発明による校正機能付き測定器の内部構成の概略を示す図
【図２】図１の校正機能付き測定器による出力レベルの校正時のフローチャート
【図３】図１の校正機能付き測定器による受信レベルの校正時のフローチャート
【図４】出力レベルおよび受信レベルの校正を行なう場合の従来の測定器の内部構成の一例を示す図
【図５】図４の測定器による出力レベルの校正時のフローチャート
【図６】図４の測定器による受信レベルの校正時のフローチャート
【符号の説明】
１…校正機能付き測定器、２…デバイダ（結合器）、５…アンテナ、６…短絡ルート切替部、８…レベル調整部、１２…レベル検出部、１３…比較部、１４…Ａ／Ｄ変換部、１５…制御部（ＣＰＵ）、１７…Ｄ／Ａ変換部、１８…切替部、１９…ＡＬＣ回路、２２…レベル測定部。
【図１】
0003916897.tif 000002
【図２】
0003916897.tif 000003
【図３】
0003916897.tif 000004
【図４】
0003916897.tif 000005
【図５】
0003916897.tif 000006
【図６】
0003916897.tif 000007